(57)【要約】【課題】  集合樋を省いて大幅なコストダウンを図ると共に、集合樋の配置スペースを不要にしてセンター役物の大型化に対応する。【解決手段】  遊技球が発射される遊技盤４に、普通入賞口１３ａ、１３ｂを有するサイド飾り１３と、大入賞口１４ａを有する大入賞装置１４とが配置されたパチンコ遊技機１において、普通入賞口１３ａ、１３ｂに入賞した遊技球を遊技盤４の下側中央部位まで導く入賞球排出経路１３ｃを構成するにあたり、該入賞球排出経路１３ｃをサイド飾り１３（又は遊技盤４）の内部に形成する。【選択図】        図５
2006271609.tif 000002
【特許請求の範囲】
【請求項１】
遊技球が発射される遊技盤に、入賞口を有する入賞装置と、大入賞口を有する大入賞装置とが配置された弾球遊技機において、
前記入賞口に入賞した遊技球を前記遊技盤の下側中央部位まで導く入賞球排出経路を構成するにあたり、該入賞球排出経路を前記入賞装置及び／又は前記遊技盤の内部に形成したことを特徴とする弾球遊技機。
【請求項２】
前記入賞装置は、前記遊技盤の左右側部に配置されるサイド飾りであることを特徴とする請求項１記載の弾球遊技機。
【請求項３】
前記入賞球排出経路は、前記遊技盤の下側中央部位に配置される前記大入賞装置内に入賞球を導くことを特徴とする請求項１又は２記載の弾球遊技機。
【請求項４】
前記サイド飾りに形成される前記入賞球排出経路を前記大入賞装置に直接結合したことを特徴とする請求項３記載の弾球遊技機。
【発明の詳細な説明】
【技術分野】
【０００１】
本発明は、遊技盤に入賞装置や大入賞装置を備えるパチンコ遊技機などの弾球遊技機に関する。
【背景技術】
【０００２】
一般に、この種の弾球遊技機では、遊技球が発射される遊技盤に、入賞口（始動口を含む）を有する入賞装置や、大入賞口を有する大入賞装置が配置されている。入賞装置に入賞した遊技球は、遊技盤の裏面に誘導された後、集合樋によって遊技盤裏面の下側中央部位まで導かれ、ここから島側の排出球計数装置に向けて落下される（例えば、特許文献１参照）。
【特許文献１】特開２０００−３１２７５５号公報
【発明の開示】
【発明が解決しようとする課題】
【０００３】
しかしながら、従来では、入賞口の位置が変わるたびに集合樋を新規設計しているため、設計に手間がかかるだけでなく、金型の製作コストが嵩むという問題がある。また、近年の弾球遊技機では、遊技性を高めるために、センター役物（図柄表示用液晶パネルなど）の大型化が提唱されているが、遊技盤裏面の下側には上記の集合樋が設けられているため、センター役物の大型化に限界があった。
【課題を解決するための手段】
【０００４】
本発明は、上記の如き実情に鑑みこれらの課題を解決することを目的として創作されたものであって、遊技球が発射される遊技盤に、入賞口を有する入賞装置と、大入賞口を有する大入賞装置とが配置された弾球遊技機において、前記入賞口に入賞した遊技球を前記遊技盤の下側中央部位まで導く入賞球排出経路を構成するにあたり、該入賞球排出経路を前記入賞装置及び／又は前記遊技盤の内部に形成したことを特徴とする。このように構成すれば、集合樋を設けることなく、入賞球を排出することが可能になる。これにより、集合樋を省いて大幅なコストダウンが図れるだけでなく、集合樋の配置スペースを不要にしてセンター役物の大型化に対応できる。
また、前記入賞装置は、前記遊技盤の左右側部に配置されるサイド飾りであることを特徴とする。このように構成すれば、サイド飾りの入賞口に入賞した遊技球を、集合樋を使わずに排出することができる。
また、前記入賞球排出経路は、前記遊技盤の下側中央部位に配置される前記大入賞装置内に入賞球を導くことを特徴とする。このように構成すれば、大入賞装置を利用して入賞球を排出できるだけでなく、大入賞装置に入賞球センサを集約して配線の簡略化が図れる。
また、前記サイド飾りに形成される前記入賞球排出経路を前記大入賞装置に直接結合したことを特徴とする。このように構成すれば、サイド飾りの入賞口に入賞した遊技球を直接大入賞装置に導いて排出することができる。
【発明の効果】
【０００５】
以上のように構成された本発明によれば、入賞球排出経路を入賞装置の内部及び／又は遊技盤の板厚内に構成することによって、集合樋を設けることなく、入賞球を排出することが可能になる。これにより、集合樋を省いて大幅なコストダウンが図れるだけでなく、集合樋の配置スペースを不要にしてセンター役物の大型化に対応できる。
【発明を実施するための最良の形態】
【０００６】
［基本構成］
次に、本発明の実施形態について、図面に基づいて説明する。図１において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００７】
パチンコ遊技機１の正面には、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０が設けられている。また、図示は省略するが、パチンコ遊技機１の背面には、払出用の遊技球を溜める遊技球タンクと、遊技球タンク内の遊技球を上皿６に払い出す賞球払出装置と、遊技球を発射する発射モータ１１と、各種の基板が設けられている。
【０００８】
図２に示すように、遊技盤４には、始動入賞口１２ａを有する始動入賞装置（入賞装置）１２と、普通入賞口１３ａ、１３ｂを有する左右のサイド飾り（入賞装置）１３と、大入賞口１４ａを有する大入賞装置１４と、ゲート口１５ａを有する左右のゲート装置１５と、遊技領域の最下端に位置するアウト口１６とが配置されており、遊技盤４に発射された遊技球は、図示しない遊技釘によって各口１２ａ、１３ａ、１３ｂ、１４ａ、１５ａ、１６に誘導される。
【０００９】
また、遊技盤４の中央部には、センター役物１７が配置されている。本実施形態のセンター役物１７は、特別図柄に係る演出図柄を変動表示する演出図柄表示部１８と、その周りを囲むセンター飾り１９により構成されている。尚、本実施形態のパチンコ遊技機１は、特別図柄を形式的に表示する特別図柄表示部２０を備えるが、図２においては省略する。
【００１０】
［基本動作］
上皿６に遊技球が溜った状態で発射ハンドル８を回し操作すると、遊技盤４に向けて遊技球が発射される。発射された遊技球が各入賞口１２ａ、１３ａ、１３ｂ、１４ａに入賞した場合は、所定個数の遊技球が賞球として払い出される。また、遊技球がゲート口１５ａを通過したときは、普通図柄表示部（本実施形態では演出図柄表示部１８を兼用）において普通図柄の変動表示が行われ、その停止図柄が所定の当り図柄である場合は、始動入賞装置１２に設けられる普通電動役物１２ｂが所定時間にわたって開放動作される。
【００１１】
また、遊技球が始動入賞口１２ａに入賞したときは、演出図柄表示部１８において特別図柄抽選に係る演出図柄の変動表示が行われ、これらの演出図柄が予め決められた大当りの組み合せで停止すると、遊技者が多くの遊技球を獲得可能な大当りモード（特定遊技状態）となる。以下、大当りの開始、終了などを契機として切換えられるパチンコ遊技機１の各種遊技モードについて、図３を参照して説明する。
【００１２】
［遊技モード］
（１）通常遊技モード
このモードでは、２段階の大当り確率のうち、低確率（例えば、１／３００）が適用される。また、このモードでは、普通図柄の抽選サイクルが長くなっている。
【００１３】
（２）大当りモード
抽選図柄が予め決められた大当り図柄で揃ったとき、このモードが実行される。大当りモードでは、大入賞装置１４に設けられる特別電動役物１４ｂが開放動作される。この開放動作は、所定時間の経過（例えば、３０秒）又は所定個数の入賞（例えば、１０球）を条件として終了するが、開放動作中に入賞した遊技球が大入賞口１４ａ内の特定領域に入賞した場合は、上記開放動作が所定のラウンド数（例えば、１５ラウンド）を限度として繰り返される。
【００１４】
（３）確率変動モード
このモードは、大当りモードが終了した後、所定の確率（例えば、１／２）で実行される。つまり、大当りには、大入賞装置１４の開放動作後、特別図柄抽選の当選確率を低確率にする通常大当りと、大入賞装置１４の開放動作後、特別図柄抽選の当選確率を高確率にする確変大当りとがある。例えば、大当り時の停止図柄が特定の図柄であったとき、確変大当りとなる。確率変動モードでは、大当り確率が高確率（例えば、１／６０）となり、また、普通図柄の抽選サイクルが短く、しかも、普通電動役物１２ｂの開放時間が長いため、持ち玉をほとんど減らすことなく、再び大当りを発生させることができる。
【００１５】
（４）時間短縮モード
このモードは、大当りモードが終了した後に実行される。時間短縮モードでは、大当り確率が低確率であるが、普通図柄の抽選サイクルが短く、しかも、普通電動役物１２ｂの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１６】
［基板構成］
次に、パチンコ遊技機１の基板構成について、図４を参照して説明する。この図に示すように、パチンコ遊技機１は、少なくとも主基板２１と、該主基板２１からの演出コマンドに応じて、演出処理を行う周辺基板２２とを備えている。本実施形態の主基板２１は、主制御基板２３、払出制御基板２４、発射モータ制御基板２５及び特別図柄表示基板２６を含み、周辺基板２２は、演出図柄表示制御基板２７、音声制御基板２８及びランプ制御基板２９を含んでいる。
【００１７】
払出制御基板２４には、玉切れスイッチ３０、払出センサ３１、払出モータ３２などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３３、タッチセンサ３４、発射モータ１１などが接続されており、発射スイッチ３３及びタッチセンサ３４がＯＮのとき、発射モータ１１を駆動させる。また、特別図柄表示基板２６には、特別図柄表示部２０が接続されており、主制御基板２３からの表示信号に応じて、特別図柄表示部２０に特別図柄を表示させる。
【００１８】
主制御基板２３には、普通入賞口１３ａ、１３ｂに対する遊技球の入賞を検出する入賞口スイッチＳＷ１と、始動入賞口１２ａに対する遊技球の入賞を検出する始動口スイッチＳＷ２と、ゲート口１５ａにおける遊技球の通過を検出するゲートスイッチＳＷ３と、大入賞口１４ａに対する遊技球の入賞を検出する大入賞口スイッチＳＷ４と、特定領域における遊技球の通過を検出する特定領域スイッチＳＷ５と、特別電動役物１４ｂなどを開閉動作させるソレノイドＳＯＬとが接続されている。そして、主制御基板２３は、上記各スイッチＳＷ１〜ＳＷ５の検出信号に応じて、特別図柄抽選処理、特別図柄表示処理、演出コマンド送信処理、大入賞口開閉処理などを行う。
【００１９】
演出図柄表示制御基板２７には、演出図柄表示部１８が接続されており、主制御基板２３からの演出コマンドに応じて、演出図柄表示部１８に演出図柄を変動表示させる。また、音声制御基板２８には、スピーカ１０が接続されており、主制御基板２３（又は演出図柄表示制御基板２７）からの演出コマンドに応じて、所定の演出音声をスピーカ１０から出音させる。また、ランプ制御基板２９には、発光表示ランプＬが接続されており、主制御基板２３（又は演出図柄表示制御基板２７）からの演出コマンドに応じて、発光表示ランプＬを点灯動作させる。
【００２０】
［入賞球排出経路］
次に、パチンコ遊技機１における入賞球排出経路について説明する。各入賞口１２ａ、１３ａ、１３ｂ、１４ａに入賞した遊技球は、遊技盤４の裏面下側中央部位からパチンコ島側の排出球計数装置に向けて排出される。大入賞装置１４は、通常、遊技盤４の下側中央部位に配置されるので、大入賞口１４ａに入賞した遊技球を遊技盤４の裏面側でそのまま排出することが可能であるが、始動入賞装置１２、サイド飾り１３などの入賞装置における入賞球は、遊技盤４の裏面下側中央部位まで誘導する必要がある。本発明は、これらの入賞球を、集合樋を使わずに遊技盤４の下側中央部位まで誘導する点に特徴があり、以下、サイド飾り１３に適用した実施形態について説明する。
【００２１】
図２、図５及び図６に示すように、本実施形態のサイド飾り１３は、大入賞装置１４の左右両側に近接するように、遊技盤４の取付孔４ａに取り付けられる。サイド飾り１３の上部には、前述した二つの普通入賞口１３ａ、１３ｂが形成されており、また、サイド飾り１３の内部には、入賞球排出経路１３ｃが形成されている。この入賞球排出経路１３ｃは、普通入賞口１３ａ、１３ｂに入賞した遊技球を、従来のように遊技盤４の裏面に導くのではなく、盤面に沿って大入賞装置１４の配置部位まで導く傾斜路を構成している。このような入賞球排出経路１３ｃをサイド飾り１３の内部に形成すると、集合樋を使わなくても、サイド飾り１３の入賞球を遊技盤４の下側中央部位まで誘導することが可能になる。また、本実施形態のサイド飾り１３は、図６に示すように、遊技盤４の板厚範囲で入賞球を誘導するので、遊技盤４の裏面側に突出しない形状とし、遊技盤４の裏面をフラットに構成できる。
【００２２】
入賞球排出経路１３ｃの終端まで誘導した入賞球は、そのまま遊技盤４の裏面側に排出することも可能であるが、大入賞装置１４を経由して排出することが好ましい。例えば、大入賞装置１４の左右側部に、入賞球排出経路１３ｃと結合可能な結合経路１４ｃを形成し、この結合経路１４ｃを介して入賞球の排出を行う。このようにすると、サイド飾り１３の入賞球をより中央側で排出することが可能になるだけでなく、大入賞装置１４に入賞球センサ（入賞口スイッチＳＷ１、大入賞口スイッチＳＷ４及び特定領域スイッチＳＷ５）を集約して配線の簡略化が図れる。
【００２３】
サイド飾り１３の入賞球排出経路１３ｃと、大入賞装置１４の結合経路１４ｃは、直接結合するように構成することが好ましい。例えば、入賞球排出経路１３ｃの終端部と、結合経路１４ｃの始端部を凹凸嵌合させる。このようにすると、サイド飾り１３の入賞球を直接大入賞装置１４に導いて排出できるので、部品点数の増加や構造の複雑化が回避される。尚、入賞球排出経路１３ｃと結合経路１４ｃを凹凸嵌合させる場合は、遊技球の流れを阻害する段差が生じないように、結合経路１４ｃ側を凹側とすることが好ましい。また、サイド飾り１３と大入賞装置１４の結合位置や結合部形状は、機種間で標準化することが好ましい。このようにすると、サイド飾り１３や大入賞装置１４の設計が容易になるだけでなく、異なる機種間でサイド飾り１３や大入賞装置１４を流用できる。
【００２４】
叙述の如く構成された本実施形態によれば、遊技球が発射される遊技盤４に、普通入賞口１３ａ、１３ｂを有するサイド飾り１３と、大入賞口１４ａを有する大入賞装置１４とが配置されたパチンコ遊技機１において、普通入賞口１３ａ、１３ｂに入賞した遊技球を遊技盤４の下側中央部位まで導く入賞球排出経路１３ｃを構成するにあたり、該入賞球排出経路１３ｃをサイド飾り１３の内部に形成したので、集合樋を設けることなく、入賞球を排出することが可能になる。これにより、集合樋を省いて大幅なコストダウンが図れるだけでなく、集合樋の配置スペースを不要にしてセンター役物１７の大型化に対応できる。
【００２５】
また、入賞球排出経路１３ｃは、遊技盤４の下側中央部位に配置される大入賞装置１４内に入賞球を導くように構成されるので、大入賞装置１４を利用して入賞球を排出できるだけでなく、大入賞装置１４に入賞球センサを集約して配線の簡略化が図れる。
【００２６】
また、サイド飾り１３に形成される入賞球排出経路１３ｃを大入賞装置１４に直接結合したので、サイド飾り１３の普通入賞口１３ａ、１３ｂに入賞した遊技球を直接大入賞装置１４に導き、遊技盤４のより中央側で排出することが可能になる。
【００２７】
［第二実施形態］
次に、本発明の第二実施形態について、図７を参照して説明する。ただし、第一実施形態と共通の構成については、第一実施形態と同じ符号を付け、第一実施形態の説明を援用する。
【００２８】
図７に示すように、第二実施形態のパチンコ遊技機１は、サイド飾り１３の入賞球を、大入賞装置１４を経由することなく、遊技盤４の内部に形成した入賞球排出経路４ｂを経由して排出する点が第一実施形態と相違している。遊技盤４の内部に形成される入賞球排出経路４ｂは、例えば、遊技盤４を構成するベニヤに直接加工されており、サイド飾り１３の内部に形成される入賞球排出経路１３ｄの終端とアウト口１６を繋ぐ。このように構成しても、第一実施形態と略同様の効果を得ることができる。
【図面の簡単な説明】
【００２９】
【図１】パチンコ遊技機の正面図である。
【図２】遊技盤の正面図である。
【図３】パチンコ遊技機の遊技モードを示すフローチャートである。
【図４】パチンコ遊技機の基板構成を示すブロック図である。
【図５】遊技盤の要部正面図である。
【図６】遊技盤の要部断面図である。
【図７】第二実施形態を示す遊技盤の要部正面図である。
【符号の説明】
【００３０】
１      パチンコ遊技機
４      遊技盤
４ｂ    入賞球排出経路
１２    始動入賞装置
１３    サイド飾り
１３ａ  普通入賞口
１３ｂ  普通入賞口
１３ｃ  入賞球排出経路
１３ｄ  入賞球排出経路
１４    大入賞装置
１４ｃ  結合経路
１７    センター役物
ＳＷ１  入賞口スイッチ
【図１】
2006271609.tif 000003
【図２】
2006271609.tif 000004
【図３】
2006271609.tif 000005
【図４】
2006271609.tif 000006
【図５】
2006271609.tif 000007
【図６】
2006271609.tif 000008
【図７】
2006271609.tif 000009